【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
天井に設置される筐体と、
該筐体内に室内空気を流入させる吸入部と、
該吸入部から流入する塵埃を捕集するエアフィルタと、
該エアフィルタに捕集された塵埃を除去する塵埃除去部と、
該エアフィルタから除去された塵埃を一時貯留する捕集部と、
前記捕集部を前記筐体から昇降可能に支持する昇降部と、
が設けられ、前記捕集部には底があることを特徴とする室内機ユニット。
【請求項２】
前記エアフィルタを前記筐体に保持したまま、前記昇降部は前記捕集部を昇降可能に保持することを特徴とする請求項１記載の室内機ユニット。
【請求項３】
前記エアフィルタを前記筐体に保持したまま、前記昇降部は前記該塵埃除去部を昇降可能に保持することを特徴とする請求項１または２に記載の室内機ユニット。
【請求項４】
前記吸入部は前記筐体を構成する下面パネルに設けられ、
前記エアフィルタは前記吸入部に着脱可能に設置され、
前記塵埃除去部は、前記エアフィルタにおける空気流入側の面に沿って移動可能に設けられ、
前記塵埃除去部および前記捕集部を有して清掃部が構成され、
該清掃部を移動させる駆動力を発生する駆動部と、
前記駆動部により往復駆動される往復動部と、
前記往復動部の駆動力が伝達される第１伝達部と、
該第１伝達部から伝達された駆動力を前記清掃部に伝達する第２伝達部と、を備え、
前記筐体には、前記駆動部、前記往復動部および前記第１伝達部が配置されるとともに、前記エアフィルタには、前記清掃部および前記第２伝達部が配置され、
前記第１伝達部と前記第２伝達部とが係合離脱可能に構成されていることを特徴とする請求項１から３のいずれかに記載の室内機ユニット。
【請求項５】
前記第２伝達部が、前記エアフィルタにおける空気が流出する面側に配置され、前記清掃部に対して着脱可能に結合されることを特徴とする請求項４記載の室内機ユニット。
【請求項６】
前記捕集部に貯留された塵埃の量を検知する塵埃量検知部が設けられていることを特徴とする請求項１から５のいずれかに記載の室内機ユニット。
【請求項７】
前記捕集部には貫通孔が設けられ、
前記塵埃量検知部が、前記貫通孔から前記捕集部を介して空気を吸引するファンと、該ファンに吸引された空気の流量および空気の圧力の少なくとも一方を検知するセンサと、を備えていることを特徴とする請求項６記載の室内機ユニット。
【請求項８】
前記往復動部が、前記清掃部の略中央部に、前記清掃部の長手方向に対して交差する方向に延びるように配置され、
前記往復動部の駆動力が、前記清掃部の両端に伝達されることを特徴とする請求項４から７のいずれかに記載の室内機ユニット。
【請求項９】
前記往復動部が、前記清掃部の両端近傍に、前記清掃部の長手方向に対して交差する方向に延びるように配置され、
前記往復動部の駆動力が、前記清掃部の両端に伝達されることを特徴とする請求項４から８のいずれかに記載の室内機ユニット。
【請求項１０】
前記往復動部がベルト駆動機構であり、
該ベルト駆動機構による駆動力が、前記第１伝達部に伝達されることを特徴とする請求項４から９のいずれかに記載の室内機ユニット。
【請求項１１】
前記往復動部が、中心軸線周りに回転される駆動用シャフトと、該駆動用シャフトにより回転されるウォームギアと、前記筐体に固定された駆動用ラックギアと、を備え、
前記ウォームギアと前記駆動用ラックギアとが係合され、
前記ウォームギアは、前記第１伝達部と接続されていることを特徴とする請求項４から９のいずれかに記載の室内機ユニット。
【請求項１２】
前記往復動部が、前記ウォームギアと前記駆動用ラックギアとの間隔を規制する規制部を備えることを特徴とする請求項１１記載の室内機ユニット。
【請求項１３】
前記第１伝達部が、前記ウォームギアから外れることを防止する外れ防止部が設けられていることを特徴とする請求項１１または１２に記載の室内機ユニット。
【請求項１４】
前記吸入部には、吸込口が形成されているとともに、前記エアフィルタを支持するパネルが設けられていることを特徴とする請求項１から１３のいずれかに記載の室内機ユニット。
【請求項１５】
前記エアフィルタは、一端側において回動可能に支持されていることを特徴とする請求項１から１４のいずれかに記載の室内機ユニット。
【請求項１６】
前記パネルおよび前記エアフィルタは、前記昇降部によって前記筐体から昇降可能に支持されていることを特徴とする請求項１４または１５に記載の室内機ユニット。
【請求項１７】
請求項１から１６のいずれかに記載の室内機ユニットと、
該室内機ユニットとともに冷媒が循環する冷媒回路を構成する室外機ユニットと、
を有することを特徴とする空気調和機。
【手続補正２】
【補正対象書類名】明細書
【補正対象項目名】０００８
【補正方法】変更
【補正の内容】
【０００８】
上記目的を達成するために、本発明は、以下の手段を提供する。
本発明の室内機ユニットは、天井に設置される筐体と、該筐体内に室内空気を流入させる吸入部と、該吸入部から流入する塵埃を捕集するエアフィルタと、該エアフィルタに捕集された塵埃を除去する塵埃除去部と、該エアフィルタから除去された塵埃を一時貯留する捕集部と、前記捕集部を前記筐体から昇降可能に支持する昇降部とが設けられ、前記捕集部には底があることを特徴とする。
本発明によれば、エアフィルタに捕集された塵埃が塵埃除去部に除去され、除去された塵埃が、底を有する捕集部に一時的に蓄積されるため、エアフィルタの清掃を行うたびに塵埃を捕集部から取り除く必要がない。つまり、捕集部から塵埃を取り除くのは、複数回のエアフィルタ清掃に対して１回行えばよく、これによりエアフィルタのメンテナンスに要する労力を軽減することができる。
上記発明においては、前記エアフィルタを前記筐体に保持したまま、前記昇降部は前記捕集部を昇降可能に保持することが望ましい。
本発明によれば、昇降部は、エアフィルタを降ろすことなく捕集部を昇降させるため、エアフィルタも昇降させる場合と比較して、昇降部に係る負荷を軽減することができる。
上記発明においては、前記エアフィルタを前記筐体に保持したまま、前記昇降部は前記塵埃除去部を昇降可能に保持させてもよい。
本発明によれば、昇降部は、エアフィルタを降ろすことなく塵埃除去部を昇降させるため、エアフィルタも昇降させる場合と比較して、昇降部に係る負荷を軽減することができる。
また、上記発明においては、前記吸入部は前記筐体を構成する下面パネルに設けられ、前記エアフィルタは前記吸入部に着脱可能に設置され、前記塵埃除去部は、前記エアフィルタにおける空気流入側の面に沿って移動可能に設けられ、前記塵埃除去部および前記捕集部を有して清掃部が構成され、該清掃部を移動させる駆動力を発生する駆動部と、前記駆動部により往復駆動される往復動部と、前記往復動部の駆動力が伝達される第１伝達部と、該第１伝達部から伝達された駆動力を前記清掃部に伝達する第２伝達部と、を備え、前記筐体には、前記駆動部、前記往復動部および前記第１伝達部が配置されるとともに、前記エアフィルタには、前記清掃部および前記第２伝達部が配置され、前記第１伝達部と前記第２伝達部とが係合離脱可能に構成されていることが望ましい。
【手続補正３】
【補正対象書類名】明細書
【補正対象項目名】００３２
【補正方法】変更
【補正の内容】
【００３２】
上記発明においては、前記パネルおよび前記エアフィルタが、前記昇降部によって前記筐体から昇降可能に支持されていることが望ましい。
【手続補正４】
【補正対象書類名】明細書
【補正対象項目名】０１１８
【補正方法】変更
【補正の内容】
【０１１８】
室内機ユニット５０３とエアフィルタ５３１との間には、図２０に示すように、ダストボックス４３７を昇降させる昇降部５５７が配置されている。
昇降部５５７は、筐体１５に配置された昇降モータ５５９と、エアフィルタ５３１の分離部５３３ｂに配置されたプーリ５６１と、プーリ５６１を介して両端が昇降モータ５５９と筐体１５に固定されたワイヤ５６３と、から概略構成されている。
昇降モータ５５９には、ワイヤ５６３を巻き取り・巻き戻しするスプロール５６５が配置されている。プーリ５６１は、自ら回転することによりワイヤ５６３を移動可能に支持するものであり、分離部５３３ｂの両端に配置されている。
【手続補正５】
【補正対象書類名】明細書
【補正対象項目名】０１２０
【補正方法】変更
【補正の内容】
【０１２０】
室内機ユニット５０３におけるエアフィルタ５３１の清掃における作用について説明する。
ダストボックス４３７内に所定量のゴミが捕集されると、ダストボックス４３７内のゴミの除去が行われる。
まず、図２０に示すように、ダストボックス４３７は、エアフィルタ５３１の分離部５３３ｂの位置にまで移動される。そして、昇降モータ５５９が回転制御され、スプロール５６５に巻き取られていたワイヤ５６３を繰り出す。ワイヤ５６３が繰り出されると、プーリ５６１が回転し、分離部５３３ｂおよびダストボックス４３７は姿勢を略水平に保ったままエアフィルタ５３１から分離され、吊下ろされる。
【手続補正６】
【補正対象書類名】明細書
【補正対象項目名】０１２１
【補正方法】変更
【補正の内容】
【０１２１】
ダストボックス４３７が床面近くまで降りてきたら、作業者はダストボックス４３７からゴミを取り除く。
作業が終了したら、昇降モータ５５９を駆動することにより、ワイヤ５６３をスプロール５６５に巻き取る。ワイヤ５６３が巻き取られると、分離部５３３ｂおよびダストボックス４３７は姿勢を略水平に保ったまま上方へ移動し、エアフィルタ５３１と接続される。